(57)【要約】【課題】  園芸用タグにおいて、生育方法や生育上の留意点などの情報が表示されたメモシートを水に濡れないように園芸用タグに保持させて、栽培植物の購入に合わせてメモシートに表示された情報を購買者に確実に伝える。【解決手段】  本発明の園芸用タグ１は、板状に形成されたタグ本体３の下部を栽培植物Ｐが植えられた土壌Ｇに挿し込み、土壌Ｇの上に顔を出しているタグ本体３の上部で栽培植物Ｐに関する情報の表示が可能とされている園芸用タグ１である。そして、このような園芸用タグのなかでも、本発明の園芸用タグ１は、タグ本体３の上部に平面展開可能に折り畳まれると共に情報Ｎが記載されたメモシート４と、この撥水性のフィルムから構成されると共にフィルムの内側にメモシート４を折り畳み状態で収納可能とする収容体５とが設けられていることを特徴とするものである。【選択図】図１
2010213586.tif 000002
【特許請求の範囲】
【請求項１】
板状に形成されたタグ本体の下部を栽培植物が植えられた土壌に挿し込み、当該土壌の上に顔を出している前記タグ本体の上部で前記栽培植物に関する情報の表示が可能とされている園芸用タグであって、
前記タグ本体の上部には、平面展開可能に折り畳まれると共に前記情報が記載されたメモシートと、撥水性のフィルムから構成されると共に当該フィルムの内側に前記メモシートを折り畳み状態で収納可能とする収容体とが、設けられていることを特徴とする園芸用タグ。
【請求項２】
前記収容体は、前記フィルムの一端を他端に重ねるように折り返して貼り付けることで筒状に形成されており、
前記メモシートは、筒状に形成された前記収容体の内側に挟み込まれていることを特徴とする請求項１に記載の園芸用タグ。
【請求項３】
前記収容体は、当該フィルムの一端を粘着剤を用いて他端に粘着して形成されていることを特徴とする請求項１に記載の園芸用タグ。
【請求項４】
前記メモシートは、前記情報が記載された表示ページを縦方向及び／又は横方向に並んで複数備えており、互いに隣接し合う前記表示ページの境界線を境に折り畳まれていることを特徴とする請求項１〜３のいずれかに記載の園芸用タグ。
【請求項５】
前記複数の表示ページのうち最もタグ本体側に近い表示ページが前記収容体に着脱自在に貼り付けられていることを特徴とする請求項１〜４のいずれかに記載の園芸用タグ。
【発明の詳細な説明】
【技術分野】
【０００１】
本発明は、例えば園芸や農業の分野において、栽培しようとする栽培植物に関する情報を表示する園芸用タグに関するものである。
【背景技術】
【０００２】
一般的に、トマトやキュウリなどの野菜は、家庭菜園などで楽しめるようにガーデニングショップ、種苗店、またはホームセンターなどで苗が販売されている。これらの野菜の苗は、野菜の種類が異なっていても一見すると非常に似通っているものがあり、園芸に習熟していない一般購買者等には苗の判別ができないことが多い。そこで、これらの苗には、野菜の種類がわかりやすいように、野菜の名称が記載された園芸用タグが設けられることが多い。
また、このような園芸用タグは、ガーデニング用の草木や観葉植物などの栽培ポットにも、一般購買者等に植物の種類が判りやすいように取り付けられている。
【０００３】
このような園芸用タグとしては、例えば特許文献１に示すように、栽培植物が植え付けられた土壌に挿し込めるように下端が尖った形状に形成されたものが知られている。この園芸用タグでは、土壌に挿し込まれない上部表面に絵柄や栽培植物の名称等を記載できるようになっている。
【先行技術文献】
【特許文献】
【０００４】
【特許文献１】特開２００６−３４０７０４号公報
【発明の概要】
【発明が解決しようとする課題】
【０００５】
ところで、例えば上述の野菜の場合であれば、野菜を健全に生育させるために野菜の種類毎に肥料、水やり、日当たりなどの生育方法や病害虫を予防するために留意すべき点がそれぞれある。また、これらの生育方法や生育上の留意点などの情報は、植え付け時期などに応じて変化するため多岐に亘るものであり、園芸用タグに表示し切れるほど小さな情報量ではない。
そこで、ガーデニングショップなどによっては、苗から離れた販売スペースやレジ横に上述の情報をプリントしたメモシート（メモ用紙）を置き、このメモシートを購買者が自由に持って帰れるようにしているところもある。しかし、このようなメモシートの存在に購買者が気がつかない可能性があり、苗とメモシートとを離して置く方法は情報を購買者に伝える手段としては十分なものではない。
【０００６】
一方、購買者が気が付きやすいようにメモシートを苗と一緒に置いたり貼り付けたりする手段も考えられるが、水やりでかかった水でメモシートの印字が滲んだり、メモシートが濡れてぼろぼろになったりする虞があり、必ずしも好ましい手段であるとは言えない。
本発明は、上述の問題に鑑みてなされたものであり、生育方法や生育上の留意点などの情報が表示されたメモシートを水に濡れないように園芸用タグに保持させることができ、栽培植物の購入に合わせてメモシートに表示された情報を購買者に確実に伝えることができる園芸用タグを提供することを目的とする。
【課題を解決するための手段】
【０００７】
前記目的を達成するため、本発明は次の技術的手段を講じている。
即ち、本発明の園芸用タグは、板状に形成されたタグ本体の下部を栽培植物が植えられた土壌に挿し込み、当該土壌の上に顔を出している前記タグ本体の上部で前記栽培植物に関する情報の表示が可能とされている園芸用タグであって、
前記タグ本体の上部には、平面展開可能に折り畳まれると共に前記情報が記載されたメモシートと、撥水性のフィルムから構成されると共に当該フィルムの内側に前記メモシートを折り畳み状態で収納可能とする収容体とが、設けられていることを特徴とするものである。
【０００８】
上述した生育方法や生育上の留意点などのように情報量が大きな情報であっても、このようにメモシートを平面展開可能に折り畳んで収容する方式であれば、園芸用タグのような小さなものにも保持させることができ、栽培植物の購入に合わせてメモシートに表示された情報を購買者に確実に伝えることができる。また、メモシートが撥水性のフィルムから構成された収容体の内側に収容されているため、栽培植物の水やりの際にメモシートが濡れる心配がなく、栽培植物の販売者にとっても利便性が高い。
なお、前記収容体は前記フィルムの一端を他端に重ねるように折り返して貼り付けることで筒状に形成されているのが好ましく、前記メモシートは筒状に形成された前記収容体の内側に挟み込まれているのが好ましい。
【０００９】
このようにフィルムを筒状にして収容体を形成した上で、その内側にメモシートを挟み込むようにすれば、撥水性のフィルムでメモシートの周りを覆うことができ、撥水性のフィルムから成る収容体でメモシートを水濡れから保護することができる。また、フィルムを筒状に形成した収容体では、例えばフィルムを袋状に形成するのに比べて収容体の成形コストを安くすることができ、園芸用タグの製造コストを下げることも可能となる。
なお、前記収容体は、当該フィルムの一端を粘着剤を用いて他端に粘着して形成されているのが好ましい。
【００１０】
このように粘着剤を用いてフィルムの一端を他端に貼り付けておけば、フィルムの一端を何度でも繰り返して他端に貼り付けたり剥がしたりすることが可能となる。その結果、必要に応じてフィルム同士が粘着している部分を剥がしてメモシートを広げて見たり、また折り畳んで収容することが可能となり、メモシートの利便性が向上する。
前記メモシートは、前記情報が記載された表示ページを縦方向及び／又は横方向に並んで複数備えており、互いに隣接し合う前記表示ページの境界線を境に折り畳まれているのが好ましい。
【００１１】
このようにすれば、複数の表示ページを備えた大面積のメモシートであっても、コンパクトに折り畳んで収容体の内側に収容することができる。
前記複数の表示ページのうち最もタグ本体側に近い表示ページが前記収容体に着脱自在に貼り付けられているのが好ましい。
このようにすれば、メモシートが不意に抜け落ちることがなくなり、メモシートを確実に収容することが可能となる。
【発明の効果】
【００１２】
本発明の園芸用タグによれば、生育方法や生育上の留意点などの情報が表示されたメモシートを水に濡れないように園芸用タグに保持させることができ、栽培植物の購入に合わせてメモシートに表示された情報を購買者に確実に伝えることができる。
【図面の簡単な説明】
【００１３】
【図１】第１実施形態の園芸用タグの使用例を示す図である。
【図２】第１実施形態の園芸用タグの裏面を正面から見た図である。
【図３】図２のＡ−Ａ線断面図である。
【図４】メモシートを平面状に展開した場合の正面図である。
【図５】メモシートを平面状に展開する際の動作を示す図である。
【図６】第２実施形態の園芸用タグの裏面を正面から見た図である。
【図７】第２実施形態の園芸用タグのメモシートを平面状に展開する際の動作を示す図である。
【発明を実施するための形態】
【００１４】
以下、本発明の園芸用タグ１の実施形態を、図面に基づき詳しく説明する。
図１に示されるように、本発明の園芸用タグ１は、ガーデニングショップ、ホームセンター、または種苗店などで取り扱われる栽培植物Ｐに対して用いられるものである。このような栽培植物Ｐは、植木鉢やポットなどの栽培容器２に植え付けられた状態で生育、販売がされており、園芸用タグ１はこのような生育や販売に際して栽培植物Ｐの名称、価格、販売者、生産者などの名称等の情報を表示するために用いられる。
このように栽培容器２に植え付けられる栽培植物Ｐとしては、農地、家庭用菜園、又はプランターなどで栽培されるトマト、ミニトマト、フルーツトマト、キュウリ、ナス、レタス、大根、カブ、ピーマンなどの野菜類、イチゴやブルーベリーなどの果樹類、ガーデニングなどで用いられるパンジー、アジサイ、カスミソウ、ダリヤなどの花類、ハーブなどの香草類、サツキ、松など低木類の苗が挙げられる。なお、図１に示す第１実施形態の園芸用タグ１は、栽培植物Ｐとしてフルーツトマトの苗が植え付けられた植木鉢（栽培容器２）に挿し込まれている例である。
【００１５】
なお、以降の説明において、図１の上下を園芸用タグ１を説明する際の上側及び下側、図１の左右を園芸用タグ１を説明する際の左側及び右側とする。
図１及び図２に示されるように、園芸用タグ１は板状に形成されたタグ本体３を備えている。このタグ本体３は、紙、木、あるいは合成樹脂のシートから板状に形成されている。なお、本実施形態ではタグ本体３がボール紙で形成されたものを例示している。タグ本体３の下部は、上部に比べて左右方向の幅が狭く且つ下方に向かって尖った形状に形成されており、栽培容器２内の土壌Ｇに挿し込んで固定しやすいようになっている。
【００１６】
タグ本体３の上部は下部より広幅な略円形状に形成されており、タグ本体３の下部を栽培容器２内の土壌Ｇに挿し込んでも上部は土壌Ｇの上側に突き出るようになっている。この土壌Ｇの上側に突き出た（顔を出している）タグ本体３の上部には、栽培植物Ｐの名称等や宣伝広告などの情報が印刷又は記入できるようになっており、苗の生育時や販売時に種類の判別を容易にしたり、販売後に購入者に宣伝等を行うことができるようになっている。
タグ本体３の上部に記載される情報としては、栽培植物Ｐの名称等や宣伝広告が挙げられる。栽培植物Ｐの名称等は、栽培容器２に植え付けられた栽培植物Ｐの種類に関する情報であり、栽培植物Ｐの苗を生育する生産者、苗を販売する販売者、苗を購入する購入者が参考に用いるものである。このような栽培植物Ｐの名称等には、栽培植物Ｐの名称、種類、品種名、生産者、生産番号、生産日、販売者、販売番号、価格、ディスカウント情報などの情報が挙げられる。なお、本実施形態の場合では、栽培植物Ｐの名称である「フルーツトマト」、生産者の名称である「生産者：×××」、苗の価格である「価格：○○円」、販売者の名称である「販売者：△△」などが記載されている。
【００１７】
また、宣伝広告の情報は、購入時に購入者の購買意欲を喚起したり、購入後に営業上の宣伝などを行うものであり、例えば「糖度が高い（甘い）」、「病害虫に強い」、「ＴＶでおなじみ」、「名人推薦」、「ガーデニングに最適」などの情報である。なお、本実施形態ではこれらの宣伝広告の図示は省略する。
ところで、近年になって栽培が盛んに行われるようになったフルーツトマトなどの栽培植物Ｐは、その栽培方法が一般にあまり知られていないことがある。また、従来から栽培されてきた栽培植物Ｐであっても、栽培方法が複雑であったり、一般にはあまり知られていないこともある。このような栽培植物Ｐの栽培に関する情報（以下、栽培情報Ｎという）は、書籍やインターネットなどのメディアを通じて得ることもできるが、栽培植物Ｐを購入して生育する人に購入時に知らせておく方が好ましい。
【００１８】
ところが、このような栽培情報Ｎは、情報量が非常に大きい。例えばフルーツトマトの栽培情報Ｎを例に挙げれば、植え付け前には肥料の種類、肥料の量、肥料のやり方、水やりの量、水やりの頻度、植え付けのタイミング、また植え付け時には植え付け時の深さ、その後の水やり、表土の扱い、さらに植え付け後は、苗の生長に合わせてわき芽の剪定、水やりの量及び頻度、肥料のやり方などの情報が挙げられる。当然、このように多岐に亘る多大な情報を、上述の名称等や宣伝広告に加えて、タグ本体３に全て表示することは不可能である。
【００１９】
そこで、ガーデニングショップなどによっては、栽培情報Ｎをプリントしたメモシート４を栽培植物Ｐと分けて置き、このメモシート４を購買者が自由に持って帰れるようにしているところもある。しかし、このようなメモシート４の存在に購買者が気がつかずに購買してしまう可能性があり、栽培植物Ｐとメモシート４とを分けて置く方法は上述の栽培情報Ｎを購買者に伝える手段としては十分なものではない。
そこで、本発明の園芸用タグ１では、これらの栽培情報Ｎを印刷又は記入したメモシート４を用意し、タグ本体３の上部にこのようなメモシート４を収納できるようにしている。ただ、このようなメモシート４はタグ本体３に比べてサイズが大きく嵩張りやすいため、メモシート４をそのまま小サイズの園芸用タグ１に保持させることはできない。そこで、本発明の園芸用タグ１では、メモシート４を平面展開可能に折り畳んだ上で、タグ本体３の上部にメモシート４を折り畳み状態で収納しているのである。
【００２０】
また、タグ本体３の上部にメモシート４を収納すると、園芸用タグ１が栽培植物Ｐの近くに配置されるため、栽培植物Ｐに水をやる場合にメモシート４も濡れてしまう可能性が高く、水やりでかかった水でメモ用紙の印字が滲んだり、メモシート４が濡れてぼろぼろになったりする虞がある。そこで、本発明の園芸用タグ１では、撥水性のフィルムから構成された収容体５の内側にメモシート４を収納するようにしているのである。
次に、図３を用いて、収容体５及びメモシート４について詳しく説明する。
図３に示されるように、収容体５は帯状に裁断された長尺状のフィルムを筒状に丸めたものである。
【００２１】
収容体５を構成するフィルムは、ＰＥ、ＰＰなどのポリオレフィン系樹脂、ＰＥＴ、ＰＢＴなどのポリエステル系樹脂、ナイロンなどのポリアミド系樹脂、セロハン、又はポリカーボネート系樹脂などで形成された合成樹脂のフィルム、あるいはこれらの合成樹脂で表面加工された金属箔や紙のラミネート体である。フィルムは、透明又は半透明に形成されているのが好ましいが、必要に応じて着色したり印刷したりすることもできる。
収容体５は、帯状に形成されたフィルムの長手方向の一端と他端とに粘着剤６を予め塗布しておき、一端を他端に重ねるようにフィルムを長手方向の中途で折り返し、粘着剤６を介して一端を他端に粘着することで筒状に形成されている。また、タグ本体３に面するフィルムの表面にも、収容体５をタグ本体３に貼り付ける粘着剤６が塗布されている。
【００２２】
粘着剤６は、一度粘着しても再び人の手で剥がすことができる程度の粘着力を発揮できるような接着剤であり、人の手で剥がせない程度に強固に接着できる接着剤に対して疑似接着剤と呼ばれるものである。このような粘着剤６は、収容体５（フィルム）やタグ本体３の材質に合わせて好ましい成分や配合が変化するため一概にその種類を規定することはできないが、アクリル系粘着剤、ゴム系粘着剤、シリコン系粘着剤、ポリビニルエーテル系粘着剤、ポリ酢酸ビニル系粘着剤などを適宜用いることができる。
図４に示すように、メモシート４は、上述した栽培情報Ｎが印刷又は記入可能なシートであり、クラフト紙などの紙、ポリオレフィン系樹脂、ポリアミド系樹脂、ポリエステル系樹脂、又はポリスチレン系樹脂などの合成樹脂のシート、ポリエチレンなどの合成樹脂がラミネートされたラミネート紙、アルミなどの金属箔に合成樹脂をラミネートしたシート、布などを用いることができる。メモシート４には、撥水性を備えた合成樹脂のシートやラミネート紙を用いるのが好ましいが、これらより安価な紙を用いても良い。なお、本実施形態では、撥水性を備えたポリスチレンシートを用いている。
【００２３】
メモシート４は、収容体５に収容可能な大きさの表示ページ７を複数備えている。これらの表示ページ７にはそれぞれ上述の栽培情報Ｎ（図示略）が記載できるようになっている。これらの表示ページ７はメモシート４の縦方向（上下方向）及び／又は横方向（左右方向）に並んで配置されており、互いに隣接し合う表示ページ７の境界線８を境に折り畳むことで収容体５に収容可能な大きさに折り畳むことができるようになっている。
本実施形態のメモシート４は、横方向の長さが互いに等しい表示ページ７をメモシート４の縦方向に７頁備えており、各頁の間には隣り合う表示ページ７同士を分ける境界線８が上下方向に等間隔をあけて設けられている。そして、タグ本体３に最も近い表示ページ７のページ数を１ページ目の表示ページ７ａとしたときに、１ページ目の表示ページ７ａと２ページ目の表示ページ７ｂとの間の境界線８を谷折り、２ページ目の表示ページ７ｂと３ページ目の表示ページ７ｃとの間の境界線８を山折りというように、１ページ目の表示ページ７ａから７ページ目の表示ページ７ｇまでの各境界線８に対して交互に谷折りと山折りとを繰り返すことで、メモシート４は全ての表示ページ７ａ〜７ｇを１箇所に積み重ねるように（蛇腹状に）折り畳むことができるようになっている。
【００２４】
また、メモシート４は、１ページ目の表示ページ７ａが他のページより上下方に長く形成されており、他のページより上縁が上方に向かって突出するように形成されている。この１ページ目の表示ページ７ａの突出した部分は、収容体５のフィルムの両端に塗布された粘着剤６の間に挟み込まれており、収容体５から剥がれないように固定されている。
さらに、タグ本体３側に面する収容体５の表面には、収容体５をタグ本体３に粘着固定する粘着剤６が設けられており、メモシート４は収容体５を介してタグ本体３に固定されている。
【００２５】
次に、図５を用いて、本発明の園芸用タグ１の使用方法を説明する。
図５（ａ）に示されるように、メモシート４は、蛇腹状に折り畳まれた状態で、収容体５に収容されている。そして、タグ本体３の表面には、収容体５（フィルムの一端側）、メモシート４、収容体５（フィルムの他端側）が積層されており、それぞれの間には粘着剤６が設けられている。
図５（ｂ）に示されるように、メモシート４を平面に展開する際には、収容体５を一端を摘んで矢印の方向に向かって引っ張る。そうすると、収容体５の他端に粘着剤６を介して粘着されていた一端が剥がれ、収容体５からメモシート４が展開可能となり、メモシート４を広げて視認することが可能となる。
【００２６】
次に、図５（ｃ）に示されるように、メモシート４の粘着剤６で粘着されていない側を摘んで、タグ本体３から離れる方向に引っ張る。そうすると、上述のように蛇腹状に収容されていたメモシート４が広がり、各表示ページ７に記載されている栽培情報Ｎを視認することが可能となる。
メモシート４を収容するときは、上述の手順と逆の手順でメモシート４を折り畳み、収容体５の内側にメモシート４を収容することができる。
第１実施形態の園芸用タグ１では、栽培情報Ｎなどのように情報量が大きな情報であっても、これらの情報をタグ本体３の上部より大面積のメモシート４に記載できるので、栽培植物Ｐの購入に合わせてメモシート４に表示された情報を購買者に確実に伝えることができる。
【００２７】
また、メモシート４は平面展開可能に折り畳んで収容されているので嵩張ることがなく、園芸用タグ１のような小さなものにもすっきりと納めることができる。
さらに、メモシート４が撥水性のフィルムで筒状に形成された収容体５の内側に挟み込まれているため、栽培植物Ｐの水やりの際にメモシート４が濡れる心配がなく、販売者にとっても取り扱いが楽となり、園芸用タグ１の利便性が高い。また、収容体５を筒状とすることで、例えばフィルムを袋状に形成するのに比べて収容体５の成形コストを安くすることができ、園芸用タグ１の製造コストを下げることも可能となる。
【００２８】
また、収容体５、メモシート４、及びタグ本体３はそれぞれ粘着剤６を用いて粘着されているので、例えば必要なときにフィルムの一端を他端から剥がしたり粘着させたりすることができ、何度でもメモシート４を広げて見たり収容したりすることができる。また、メモシート４が粘着剤６を介してタグ本体３に粘着されているので、メモシート４が不意に抜け落ちて紛失したりする心配もない。
「第２実施形態」
次に、第２実施形態の園芸用タグ１について説明する。
【００２９】
図６に示されるように、第２実施形態の園芸用タグ１が第１実施形態と異なっている点は、複数の表示ページ７が蛇腹状に折り畳まれているのではなく、１ページ目の表示ページ７ａに向かって隣り合う表示ページ７を内側に向かって折り返すようにして（内折り状に）折り畳まれている点である。
第２実施形態のメモシート４は、第１実施形態より表示ページ７のページ数が２頁多い９頁の表示ページ７からなっている。これらの表示ページ７は、１ページ目の表示ページ７ａから３ページ目の表示ページ７ｃまでが上下方向に並んでおり、その左右にそれぞれ隣り合うように４ページ目の表示ページ７ｄから６ページ目の表示ページ７ｆまでと７ページ目の表示ページ７ｇから９ページ目の表示ページ７ｉまでとが並んで配置されている。
【００３０】
そして、メモシート４を折り畳む際には、図７に示されるように、１ページ目から３ページ目までの表示ページ７ａ〜７ｃに向かってまず４ページ目から６ページ目までの表示ページ７ｄ〜７ｆを内折りにし、次に７ページ目から９ページ目までの表示ページ７ｇ〜７ｉを内折りにする。そして、４頁目以降の表示ページ７ｄ〜７ｉが折り重ねられた１ページ目から３ページ目までの表示ページ７ａ〜７ｃを、第１実施形態の場合と同様に蛇腹状に折り重ねる。
このようにすれば、第１実施形態の場合と同様に大面積のメモシート４を収容体５に収容可能なサイズにまでサイズダウンして収容することができる。
【００３１】
本発明は上記各実施形態に限定されるものではなく、発明の本質を変更しない範囲で各部材の形状、構造、材質、組み合わせなどを適宜変更可能である。
上記実施形態では、タグ本体３の上部が下部より幅広な略円形状に形成された園芸用タグ１を例示したが、園芸用タグ１の形状はこのような形状に限定されるわけではない。例えば、くさび状や棒状のような形状に形成されていても良い。
上記実施形態では、栽培植物Ｐとしてフルーツトマトが植え付けられた植木鉢を例示したが、本発明の園芸用タグ１はフルーツトマト以外の栽培植物Ｐが植え付けられた栽培容器２、例えばハーブの鉢植え、キュウリなどの苗ポット、観葉植物が植えられた植木鉢などにも用いることができる。
【００３２】
上記実施形態では、帯状のフィルムを丸めて筒状に形成した収容体５に、合成樹脂のシートで形成されたメモシート４が収容されたものを例に挙げて、本発明の園芸用タグ１を説明した。しかし、例えば、収容体５としてはフィルムが箱状や袋状に形成されたものを用いても良いし、メモシート４には紙や金属箔を用いることもできる。
上記実施形態では、メモシート４の折り畳み方として蛇腹のように折り畳む方法や内折りする方法を例に挙げた。しかし、メモシート４の折り畳み方は収容体５の内側に収容可能なサイズにまでサイズダウンできるものであれば他の折り畳み方法を採用することもできる。
【符号の説明】
【００３３】
１  園芸用タグ
２  栽培容器
３  タグ本体
４  メモシート
５  収容体
６  粘着剤
７  表示ページ
８  境界線
Ｎ  栽培情報
Ｐ  栽培植物
Ｇ  土壌
【図１】
2010213586.tif 000003
【図２】
2010213586.tif 000004
【図３】
2010213586.tif 000005
【図４】
2010213586.tif 000006
【図５】
2010213586.tif 000007
【図６】
2010213586.tif 000008
【図７】
2010213586.tif 000009